(57)【要約】【課題】併用型液晶表示装置において、輝度、コントラストを向上して、カラー表示においても視認性、色再現性などを改善する。【解決手段】液晶表示装置は、第１基板１に散点状に形成された拡散反射部２と、散点状の拡散反射部２の周囲の第１基板１に形成された光透過窓２と、を有する。拡散反射部２の周囲の正反射しやすい領域に、光透過窓３が形成されているため、拡散反射する正面光の反射率と、背面光を透過率とを共に向上することができる。【選択図】          図１
2004361633.tif 000002
【特許請求の範囲】
【請求項１】
第１基板と、
前記第１基板と対向して配置された第２基板と、
前記第１基板と前記第２基板との間に挟まれて配置されている液晶層と、
を有し
前記第１基板には、
前記第２基板側から前記液晶層を介して入射する正面光を拡散反射する複数の拡散反射部が、散点状に形成され、
光を透過する光透過窓が、前記拡散反射部の周囲に形成されている
液晶表示装置。
【請求項２】
前記拡散反射部において挟まれている前記液晶層の間隔は、前記光透過窓において挟まれている前記液晶層の間隔より小さくなるように形成されている
請求項１に記載の液晶表示装置。
【請求項３】
前記拡散反射部において挟まれている前記液晶層の間隔は、前記光透過窓において挟まれている前記液晶層の間隔の略半分の間隔となるように形成されている
請求項１に記載の液晶表示装置。
【請求項４】
前記拡散反射部の一部分に、光を透過するように開口された拡散反射部開口部が形成されている
請求項１に記載の液晶表示装置。
【請求項５】
前記第１基板に形成され、前記正面光と対向する方向から入射する背面光を透過させる第１カラーフィルタと、
前記第２基板に形成され、光を透過させる第２カラーフィルタと、
を有する
請求項１に記載の液晶表示装置。
【請求項６】
前記第２基板に形成され、光を透過させるカラーフィルタ
を有し、
前記カラーフィルタは、前記拡散反射部と対向する位置に、光が透過するように開口されたカラーフィルタ開口部が形成されている
請求項１に記載の液晶表示装置。
【発明の詳細な説明】
【０００１】
【発明の属する技術分野】
本発明は液晶表示装置に関し、特に、反射型表示と透過型表示とが併用される液晶表示装置に関する。
【０００２】
【従来の技術】
液晶表示装置は、ＣＲＴ（Ｃａｔｈｏｄｅ  Ｒａｙ  Ｔｕｂｅ）よりも、薄型、軽量、低消費電力といった利点を有しており、パーソナルコンピューター、携帯電話、デジタルカメラなど、さまざまな電子機器の表示装置として使用されている。
【０００３】
液晶表示装置は、透過型と反射型とに大別される。液晶表示装置は、ＣＲＴと異なり、自ら発光する自発光型表示装置ではない。このため、透過型液晶表示装置は、光源として、バックライトと呼ばれる平面光源を背面に設け、バックライトからの光を液晶パネルに透過させて表示している。透過型液晶表示装置は、バックライトを用いて表示を行うため、周囲の光が弱い場合であっても影響を受けず、高い輝度、高コントラストで表示できるなどの利点を有する。しかし、バックライトは液晶表示装置の全消費電力の５０％以上を占めているため、透過型液晶表示装置は、消費電力を低減化することが困難であるといった問題を有する。また、周囲の光が強い場合には、表示が暗く見え、視認性が悪化するという問題もある。
【０００４】
一方、反射型液晶表示装置は、光源として周囲の光を用い、その周囲の光を反射板などで正面に受けて反射させ、その反射光を液晶パネルに透過させて表示している。点光源である周囲の光を、表示面上では面光源に変換させる必要があるため、反射板は、拡散反射できるように凹凸表面となっている。このような反射型液晶表示装置は、透過型液晶表示装置と異なってバックライトを使用しないため、消費電力が少ない利点を有する。しかし、周囲が暗い場合は、反射光が少ないために影響が大きく、輝度、コントラストが不十分となり、視認性が悪化するなどの問題が発生する。特に、カラー表示する場合、反射光の利用効率がカラーフィルタで低下してしまい、視認性が著しく悪化する。
【０００５】
透過型および反射型液晶表示装置の問題点を解消するため、透過と反射とを併用する併用型液晶表示装置が提案されている（たとえば、特許文献１参照）。併用型液晶表示装置は、周囲が明るい場合には周囲の光の反射を利用して表示し、周囲が暗い場合にはバックライトを利用して表示する。
【０００６】
図７は、従来の併用型液晶表示装置を示す。このうち、図７（ａ）は第１基板１０１の表面を示す平面図である。また、図７（ｂ）は、図７（ａ）のＸ−Ｘ線部分における第１基板１０１側の断面図と、第１基板１０１と対向する第２基板１１１側の断面図である。
【０００７】
図７に示すように、従来の併用型液晶表示装置は、第１基板１０１と、第２基板１１１と、液晶層１３１と、拡散反射領域１０２と、光透過領域１０３と、カラーフィルタ１４０とを有する。第１基板１０１と対向して第２基板１１１が配置され、第１基板１０１と第２基板１１１との間に挟まれて液晶層１３１が配置されている。第１基板１０１には、光透過領域１０３と、拡散反射領域１０２とが並列して形成されている。
【０００８】
第１基板１０１の拡散反射領域１０２は、周囲の光を拡散反射する領域であり、第２基板１１１側から液晶層１３１を介して入射する正面光を拡散反射する。反射による表示を見る場合、第１基板１０１の面の垂直な方向に対して、約２０〜３０°の角度で入射した周囲の光を、正面に拡散反射させて表示を認識している。拡散反射領域１０２は、拡散反射するように、第１基板１０１の上に形成された平面の第１反射下地層１２１の上に、曲面を有する第２反射下地層１２２が散点状に形成されている。そして、第１反射下地層１２１と第２反射下地層１２２とを覆うようにして、平面の反射膜１２３ａと、曲面を有する凸形状の反射膜１２３ｂとを有する反射膜１２３が形成され、表面が凹凸形状となっている。なお、拡散反射領域１０２の反射膜１２３は、ＴＦＴ（Ｔｈｉｎ  Ｆｉｌｍ  Ｔｒａｎｓｉｓｔｏｒ）−ＬＣＤの場合、銀などを用いて、ＴＦＴのドレイン電極と接続する反射電極として形成される場合がある。
【０００９】
光透過領域１０３は、バックライトの光が透過する領域である。バックライトは、液晶層１３１が配置されている第１基板１０１の面に対して他方となる面側に、設けられている。このバックライトが照射する背面光は、光透過領域１０３を透過する。なお、光透過領域１０３には、ＴＦＴ−ＬＣＤの場合、ＩＴＯ（Ｉｎｄｉｕｍ  Ｔｉｎ  Ｏｘｉｄｅ）などを用いて、ＴＦＴのドレイン電極と接続する透明電極が形成されている場合がある。
【００１０】
また、カラーフィルタ１４０は、第１基板１０１と対向する第２基板１１１には、第１基板１０１の拡散反射領域１０２と光透過領域１０３と対向する全領域に形成されている。カラーフィルタ１４０は、正面光と背面光とを透過させて着色する。
【００１１】
【特許文献１】
特開２００１−３１８３７７号公報（段落０００４〜６、図２など）
【００１２】
【発明が解決しようとする課題】
以上のように、従来の併用型液晶表示装置は、拡散反射領域１０２と光透過領域１０３とが並列して形成されている。従来の併用型液晶表示装置において、反射型のみより併用型の方が狭い拡散反射領域１０２であり、透過型のみより併用型の方が狭い光透過領域１０３となる。このため、反射型のみ及び透過型のみの液晶表示装置を通常条件で使用した場合より、併用型は、輝度、コントラストが低く、視認性が悪化するという問題があった。
【００１３】
また、従来の併用型液晶表示装置の拡散反射領域１０２においては、第２基板１１１側から液晶層１３１を介して入射する正面光を反射し、さらに液晶層１３１を介して表示する。このため、正面光は液晶層１３１を合計２回通る。一方、光透過領域１０３においては、第１基板１０１側からの背面光を液晶層１３１に透過させて表示する。このため、背面光は、液晶層１３１を合計１回通る。カラー表示する場合も同様に、拡散反射領域１０２で反射した正面光はカラーフィルタ４０を２回通り、光透過領域１０３を透過した背面光はカラーフィルタ１４０を１回通る。このように、拡散反射領域１０２と光透過領域１０３との間にある液晶層１３１が同様な間隔な場合、光透過領域１０３よりも拡散反射領域１０２の方が、光の経路が長くなる。このため、輝度の低下が発生し、特に、カラー表示する場合、カラーフィルタ４０により、視認性が著しく悪化し、色再現性が十分でなく、表示が実用レベルにない場合があった。また、十分な色再現性とするため、拡散反射領域１０２と光透過領域１０３に対応してカラーフィルタ１４０の面内に着色濃度差を設けることが、微細加工が必要であり、製造効率の低下が発生していた。
【００１４】
したがって、本発明の目的は、輝度、コントラストを向上して、カラー表示においても視認性、色再現性などを改善でき、また、製造効率などを向上できる液晶表示装置を提供することにある。
【００１５】
【課題を解決するための手段】
本発明は、第１基板と、前記第１基板と対向して配置された第２基板と、前記第１基板と前記第２基板との間に挟まれて配置されている液晶層と、を有し前記第１基板には、前記第２基板側から前記液晶層を介して入射する正面光を拡散反射する複数の拡散反射部が、散点状に形成され、光を透過する光透過窓が、前記拡散反射部の周囲に形成されている液晶表示装置である。
【００１６】
以上により、本発明の液晶表示装置は、第２基板側から液晶層を介して入射する正面光を、第１基板に散点状に形成された拡散反射部によって拡散反射する。また、散点状の拡散反射部の周囲の第１基板に形成された光透過窓により、光を透過する。拡散反射部の周囲の正反射しやすい領域に、光透過窓が形成されている。正反射する領域は、表示のための反射率にほとんど寄与しないため、拡散反射する正面光の反射率と、背面光を透過率とを共に向上することができる。
【００１７】
【発明の実施の形態】
以下、本発明の実施形態の一例について、図面を参照して説明する。
【００１８】
＜実施形態１＞
図１は、実施形態１の液晶表示装置を示す図である。このうち、図１（ａ）は第１基板１の表面を示す平面図である。また、図１（ｂ）は、図１（ａ）のＸ−Ｘ線部分における第１基板１側の断面図と、第１基板１と対向する第２基板１１側の断面図である。
【００１９】
なお、図１においては図示を省略しているが、第１基板１には、ＴＦＴが形成されている。ここで、ＴＦＴは、たとえば、ボトムゲート構造とする。その他に、第１基板１には、ＴＦＴのゲート電極と接続する走査配線と、ＴＦＴのソース電極と接続する信号配線とが直交して形成されている。ＴＦＴのドレイン電極は、第１基板１にマトリクス状に形成されているＩＴＯの画素電極と接続している。このように、第１基板１にはＴＦＴなどが形成され、ＴＦＴアレイとして機能する。また、液晶層３１が配置されている第１基板１の面に対して他方となる面側には、順次、１／４波長板、偏光板が設けられ、１／４波長板、偏光板を介して、背面光を供給するバックライトが設けられている。そして、第２基板１１には、画素電極と対向するＩＴＯの対向電極が形成されている。液晶層３１が配置されている第２基板１１の面に対して他方となる面側には、順次、１／４波長板、偏光板が設けられている。
【００２０】
図１に示すように、本実施形態の液晶表示装置は、第１基板１と、第２基板１１と、液晶層３１と、拡散反射部２と、光透過窓３と、カラーフィルタ４０とを有する。第１基板１と対向して第２基板１１が配置され、第１基板１と第２基板１１との間に挟まれて液晶層３１が配置されている。第１基板１には、拡散反射部２と、光透過窓３と、が形成されている。
【００２１】
第１基板１は、光が透過するように、たとえば、ガラスなどの透明材料で形成されている。第２基板１１も第１基板１と同様に、光が透過するように、たとえば、ガラスなどの透明材料で形成されている。
【００２２】
液晶層３１は、たとえば、ネマティック液晶を主体として形成され、第１基板１と第２基板１１との間に、スペーサにより所定の距離を保持して封入されている。第１基板１および第２基板１１には、ポリイミドなどの配向層（図示なし）が設けられ、液晶層３１は、この配向層の間に配向されている。液晶層３１は、ＴＦＴをスイッチング素子として画素電極と対向電極の間に電圧を印加することによって、配向が変化し表示が行われる。
【００２３】
拡散反射部２は、周囲の光、つまり、第２基板１１側から液晶層３１を介して入射する正面光を拡散反射する。本実施形態において、拡散反射部２は、拡散反射するため、図１（ａ）に示すように、第１基板１に散点状に複数形成されている。各拡散反射部２の形状および配列は、特に規定されないが、規則的な形状が規則的に配列すると、モアレが発生する場合があるため、不規則な形状および配列であることが好ましい。また、各拡散反射部２は、図１（ｂ）に示すように、第１基板１の上には、散点状に第１反射下地層２１が形成され、その第１反射下地層２１の上に、凸形状であって曲面を有する第２反射下地層２２が形成されている。そして、第２反射膜下地層２２の上に、凸形状であって曲面を有する反射膜２３が形成されている。反射膜２３は、ロジウム、チタン、クロム、銀、アルミニウム、クロメルなどの金属膜が用いられ、特に、反射率が高い銀が好適である。
【００２４】
光透過窓３は、バックライトなどの光を透過させるために形成されている。バックライトは、液晶層３１が配置されている第１基板１の面に対して他方となる面側に、設けられ、バックライトが照射する背面光は、光透過窓３を透過する。本実施形態において、光透過窓３は、それぞれの拡散反射部２の周囲の第１基板１に形成されている。
【００２５】
ここで、拡散反射部２および光透過窓３は、拡散反射部２において挟まれている液晶層３１の間隔Ａが、光透過窓３において挟まれている液晶層３１の間隔Ｂより、小さくなるように形成されている。特に、本実施形態においては、間隔Ａが、間隔Ｂの略半分の間隔となるように形成されている。そして、拡散反射部２および光透過窓３の上に、前述したＩＴＯの画素電極が形成されている。
【００２６】
カラーフィルタ４０は、拡散反射部２と光透過窓３とが形成された第１基板１と対向する第２基板１１の全領域に、正面光と背面光とを透過させて着色するために形成されている。カラーフィルタ４０は、顔料や染料によって着色されたポリイミドなどの樹脂からなり、たとえば、赤、緑、青の３原色を１組として構成されている。そして、第２基板１１には、カラーフィルタ４０を保護する透明保護膜（図示なし）を介して、画素電極と対向するＩＴＯの対向電極が形成されている。
【００２７】
つぎに、本実施形態に係る液晶表示装置の製造方法について説明する。図５は、本実施形態の液晶表示装置の製造方法において、拡散反射部２と、光透過窓３とを、第１基板１に形成する製造工程について示す概略断面図である。
【００２８】
拡散反射部２と光透過窓３とを第１基板１に形成するに先立って、第１基板１にボトムゲート構造のＴＦＴ（図示なし）を以下のようにして形成する。まず、第１基板１にモリブデン、タンタルなどの導電材料のゲート電極をスパッタリング法などにより形成する。その後、ゲート電極を覆うようにしてにゲート絶縁膜を形成し、ゲート絶縁膜の上にポリシリコンなどの半導体膜を形成する。この半導体膜のチャネルとなる部分にシリコン酸化物などのストッパー層を形成し、ソースおよびドレインとなる領域の半導体膜に自己整合的に不純物をドーピングして、ボトムゲート構造のＴＦＴを形成する。
【００２９】
そして、ＴＦＴを覆うようにして、層間絶縁膜（図示なし）を形成する。層間絶縁膜をエッチングして開口し、ＴＦＴのソースと接続するソース電極と、ＴＦＴのドレインと接続するドレイン電極とを形成する。
【００３０】
つぎに、図５（ａ）に示すように、拡散反射部２と光透過窓３を形成する第１基板１の所定領域に、フォトレジスト材料の第１反射下地層２１を、全面に所定の厚みで形成する。そして、図５（ｂ）に示すように、第１反射下地層２１が第１基板１の表面に散点状となるように、凸形状にパターン加工する。
【００３１】
つぎに、図５（ｃ）に示すように、散点状に第１反射下地層２１がパターン加工された第１基板１の表面を覆うように、フォトレジスト材料の第２反射下地層２２を、全面に所定の厚みで形成する。そして、図５（ｄ）に示すように、第２反射下地層２２を、第１反射下地層２１と同様にして、凸形状にパターン加工する。そして、加熱処理して第２反射下地層２２の形状を変形させて、第２反射下地層２２の表面をなだらかな曲面とする。
【００３２】
なお、本実施形態においては、表面をなだらかな曲面として効率的な拡散反射とするため、第１反射下地層２１、第２反射下地層２２の２つの反射下地層を形成している。このため、所望な拡散反射性能によっては、１つの反射下地層としてもよい。
【００３３】
つぎに、図５（ｅ）に示すように、第２反射下地層２２の表面に、銀を用いた反射膜２３をパターン加工する。反射膜２３が形成された領域が、拡散反射部２となり、その拡散反射部２の周囲の反射膜２３がない領域が光透過窓３となる。第１反射下地層２１、第２反射下地層２２、反射膜２３からなる拡散反射部２において挟まれている液晶層３１の間隔Ａが、光透過窓３において挟まれている液晶層３１の間隔Ｂより小さくなるように形成する。本実施形態においては、間隔Ａが、間隔Ｂの略半分の間隔となるように、その厚みを設定して形成する。
【００３４】
その後、拡散反射部２と光透過窓３とが形成された第１基板１に、ＴＦＴのドレイン電極と接続する画素電極（図示なし）を、スパッタリング法などにより、ＩＴＯを設けて形成して、ＴＦＴアレイを形成する。
【００３５】
一方、第２基板１１には、カラーフィルタ４０を形成する。第２基板１１に、顔料や染料が分散されたポリイミドなどの樹脂を塗布し、パターン加工することで、カラーフィルタ４０を形成する。そして、カラーフィルタ４０に透明保護膜（図示なし）を形成し、さらに、画素電極と対向するＩＴＯの対向電極（図示なし）を形成する。
【００３６】
そして、画素電極が形成された第１基板１と、対向電極が形成された第２基板１１とに配向膜（図示なし）を設け、配向処理を実施する。第１基板１と第２基板１１との間にスペーサを設け、シール材を用いて、両者を貼り合わせる。ここで、拡散反射部２において挟まれている液晶層３１の間隔Ａが、光透過窓３において挟まれている液晶層３１の間隔Ｂの略半分の間隔となるように貼り合わせる。そして、第１基板１と第２基板１１との間に液晶層３１となる液晶を注入して封止し、液晶パネルを形成する。
【００３７】
つぎに、１／４波長板、偏光板、バックライト、駆動回路などを配置して液晶表示装置を製造する。
【００３８】
上記の本実施形態の液晶表示装置は、第２基板１１側から液晶層３１を介して入射する正面光を、第１基板１に散点状に形成された拡散反射部２によって拡散反射する。また、液晶層３１が配置されている第１基板１の面に対して他方となる面側から入射する背面光を、散点状の拡散反射部２の周囲の第１基板１に形成された光透過窓３により透過する。
【００３９】
本実施形態の液晶表示装置において、たとえば、拡散反射部２を７０％、光透過窓３を３０％とし、前述の図７に示した従来の液晶表示装置と比較した場合、従来の液晶表示装置の反射率約５％に対し、本実施形態の液晶表示装置の反射率は約７％であった。このように、本実施形態は、光透過窓３を狭くして透過率を損なうことなく、従来よりも約４０％の反射率の向上があった。
【００４０】
前述したように、反射による表示を見る場合、第１基板１の面の垂直な方向に対して、約２０〜３０°の角度で入射した周囲の光を、正面に拡散反射させて表示を認識している。このため、拡散反射部２の正反射しやすい領域における反射は、表示のためには利用されていない。ここで、散点状の拡散反射部２の周囲は、第１基板１に垂直に入射する光に対して垂直となる面が多く、正反射しやすい。この拡散反射部２の周囲の正反射しやすい領域に、本実施形態は、光透過窓３が形成されている。このため、本実施形態は、上記の如く、拡散反射する正面光の反射率と、背面光を透過率とを共に向上することができる。
【００４１】
また、本実施形態において拡散反射部２および光透過窓３は、拡散反射部２において挟まれている液晶層３１の間隔Ａが、光透過窓３において挟まれている液晶層３１の間隔Ｂより小さくなるように形成されており、特に、間隔Ａが間隔Ｂの略半分の間隔となるように形成されている。
【００４２】
図６は、拡散反射部２において挟まれている液晶層３１の間隔Ａを２μｍとした場合に、光透過窓３において挟まれている液晶層３１の間隔Ｂ（μｍ）を変動した場合における透過率Ｒｔ（％）を示す図である。この図に示すように、間隔Ａより間隔Ｂが大きい場合、つまり間隔Ａが間隔Ｂより小さい場合には、透過率が向上している。また、間隔Ａの２μｍに対して、間隔Ｂを約３．５〜５．０μｍとすることで、約９０％以上の透過率Ｒｔを得ることできる。
【００４３】
このように、本実施形態は、間隔Ａを間隔Ｂより小さくしているために、透過率を向上できる。また、間隔Ａを間隔Ｂより小さくすることで、拡散反射部２で反射する正面光と、光透過窓３を透過する背面光の光路長が近づくため、反射での表示においても、輝度が向上し、視認性を向上できる。また、間隔Ａを間隔Ｂの略半分とすることで、上述したように、より高い透過率を得ることができる。さらに、間隔Ａを間隔Ｂの略半分とすることで、拡散反射部２で反射する正面光と、光透過窓３を透過する背面光の光路長が略同等となるため、反射での表示においても、視認性をより向上できる。
【００４４】
したがって、本実施形態は、併用型液晶表示装置において、反射率および透過率の向上ができ、その結果、輝度、コントラストを向上し、カラー表示においても視認性を改善することができる。
【００４５】
＜実施形態２＞
図２は、実施形態２の液晶表示装置を示す図である。このうち、図２（ａ）は第１基板１の表面を示す平面図である。また、図２（ｂ）は、図２（ａ）のＸ−Ｘ線部分における第１基板１側の断面図と、第１基板１と対向する第２基板１１側の断面図である。
【００４６】
本実施形態は、前述した実施形態１と異なり、第１基板１に第１カラーフィルタ４１が形成され、第２基板１１に第２カラーフィルタ４２が形成されている。また、拡散反射部２は、第１カラーフィルタ４１と第２カラーフィルタ４２との間に形成されている。第１基板１に第１カラーフィルタ４１が形成されていることを除き、第１実施形態と同様である。このため、重複する個所については、説明を省略する。
【００４７】
図２に示すように、本実施形態の液晶表示装置は、第１基板１と、第２基板１１と、液晶層３１と、拡散反射部２と、光透過窓３と、第１カラーフィルタ４１と、第２カラーフィルタ４２とを有する。第１基板１と対向して第２基板１１が配置され、第１基板１と第２基板１１との間に挟まれて液晶層３１が配置されている。第１基板１には、実施形態１と同様な、拡散反射部２と、光透過窓３と、が形成されている。
【００４８】
また、第１基板１には、拡散反射部２と光透過窓３の全領域に、背面光を透過させて着色する第１カラーフィルタ４１が形成されている。そして、第１基板１と対向する第２基板１１には、第１基板１の拡散反射部２と光透過窓３と対向する全領域に、正面光と背面光とを透過させて着色する第２カラーフィルタ４２が形成されている。第１カラーフィルタ４１および第２カラーフィルタ４２は、実施形態１と同様に、赤、緑、青の３原色を１組として構成されている。第１カラーフィルタ４１および第２カラーフィルタ４２は、互いが対向する位置に同様な原色および濃度となっている。
【００４９】
つぎに、本実施形態に係る液晶表示装置の製造方法について説明する。本実施形態は、あらかじめ、第１基板１に第１カラーフィルタ４１を、実施形態１のカラーフィルタと同様に形成する。その後、第１基板１の第１カラーフィルタ４１の上に、第１実施形態と同様な製造方法にて、拡散反射部２と光透過窓３とを形成する。第２基板１１においても、同様にして、第２カラーフィルタ４２を形成する。
【００５０】
その後、実施形態１と同様にして、第１基板１と第２基板１１とを貼り合わせなどを行い、液晶表示装置を形成する。
【００５１】
上記の本実施形態の液晶表示装置は、実施形態１と同様に、第１基板１に散点状に形成された拡散反射部２によって、周囲からの正面光を拡散反射する。また、散点状の拡散反射部２の周囲の第１基板１に形成された光透過窓３により、バックライトからの背面光を透過する。
【００５２】
本実施形態の液晶表示装置において、実施形態１と同様に、拡散反射部２を７０％、光透過窓３を３０％とした場合、本実施形態の液晶表示装置の反射率は約７％であった。実施形態１と同様に、本実施形態は、透過率を損なわずに、従来よりも約４０％の反射率の向上があった。このように、本実施形態は、拡散反射部２の周囲の正反射しやすい領域に、光透過窓３が形成されているため、拡散反射する正面光の反射率と、背面光を透過率とを共に向上することができる。
【００５３】
また、本実施形態の液晶表示装置において、周囲からの正面光は第２基板１１の第２カラーフィルタ４２を透過して、拡散反射部２によって拡散反射する。そして、拡散反射した正面光は、さらに、背面側から第２基板１１の第２カラーフィルタを透過する。一方、バックライトからの背面光は、第１基板１の第１カラーフィルタ４１を透過し、さらに、第２基板１１の第２カラーフィルタ４２を透過する。このように、本実施形態は、正面光と背面光とも、カラーフィルタを２回透過させて着色する。このため、正面光と背面光との両者を利用する併用型として用いる場合であっても、色再現性を容易に改善することができる。
【００５４】
さらに、本実施形態は、第１基板１と第２基板１１の両者にカラーフィルタを形成し、従来のように、カラーフィルタの面内に着色濃度差を設けないため、微細加工が不要となり、製造効率を向上できる。
【００５５】
したがって、本実施形態は、併用型液晶表示装置において、輝度、コントラストを向上して、カラー表示においても視認性、色再現性などを改善でき、また、製造効率などを向上できる。
【００５６】
＜実施形態３＞
図３、図４は、実施形態３の液晶表示装置を示す図である。このうち、図３（ａ）は第１基板１の表面を示す平面図である。そして、図３（ｂ）は、図３（ａ）のＸ−Ｘ線部分における第１基板１側の断面図と、第１基板１と対向する第２基板１１側の断面図である。また、図４（ａ）は、図３（ａ）のＹ−Ｙ線部分における第１基板１側の断面図と、第１基板１と対向する第２基板１１側の断面図である。そして、図４（ｂ）は、第２基板１１に形成されたカラーフィルタ４０の平面図である。
【００５７】
本実施形態は、前述した実施形態１と異なり、拡散反射部２の一部分に、拡散反射部開口部２４が形成されている。本実施形態の拡散反射部２においては、散点状の拡散反射部２の周囲に光透過窓３が形成されている領域と、形成されていない領域とがある。そして、この光透過窓３が形成されていない領域の拡散反射部に対応して、第２基板のカラーフィルタ４０には、カラーフィルタ開口部４３が形成されている。拡散反射部開口部２４およびカラーフィルタ開口部４３が形成されていることを除き、第１実施形態と同様である。このため、重複する個所については、説明を省略する。
【００５８】
図３、図４に示すように、本実施形態の液晶表示装置は、第１基板１と、第２基板１１と、液晶層３１と、拡散反射部２と、光透過窓３と、カラーフィルタ４０とを有する。第１基板１と対向して第２基板１１が配置され、第１基板１と第２基板１１との間に挟まれて液晶層３１が配置されている。
【００５９】
図３（ａ）に示すように、第１基板１には、散点状の拡散反射部２の周囲に光透過窓３が形成されている領域と、形成されていない領域とがある。
【００６０】
図３（ｂ）は、散点状の拡散反射部２の周囲に光透過窓３が形成されている領域について示している。この領域の拡散反射部２と光透過窓３は、実施形態１と同様である。拡散反射部２は、第１基板１の上に、散点状に第１反射下地層２１が形成され、その第１反射下地層２１の上に、凸形状であって曲面を有する第２反射下地層２２が形成されている。そして、第２反射膜下地層２２の上に、凸形状であって曲面を有する反射膜２３が形成されている。さらに、この拡散反射部２には、背面光を透過するように開口された拡散反射部開口部２４が形成されている。拡散反射部開口部２４は、拡散反射部２の一部分であって、曲面を有する凸形状の拡散反射部２の頂点を含むように開口され形成されている。
【００６１】
図４（ａ）は、散点状の拡散反射部２の周囲に光透過窓３が形成されていない領域について示している。この領域の拡散反射部２は、図７に示すような従来の液晶表示装置と同様である。拡散反射部２は、拡散反射するように、第１基板１の上に形成された平面の第１反射下地層２１の上に、曲面を有する第２反射下地層２２が散点状に形成されている。そして、第１反射下地層２１と第２反射下地層２２とを覆うようにして、平面の反射膜２３ａと、曲面を有する凸形状の反射膜２３ｂとを有する反射膜２３が形成されている。
【００６２】
図４（ｂ）に示すように、第２基板１１には、拡散反射部２と光透過窓３の全領域に、正面光と背面光とを透過させて着色するカラーフィルタ４０が形成されている。そして、カラーフィルタ４０には、光透過窓３が形成されていない領域の拡散反射部と対向する位置に、正面光が透過するように開口されたカラーフィルタ開口部４３が形成されている。カラーフィルタ開口部４３は、中央に矩形形状で開口され、形成されている。
【００６３】
つぎに、本実施形態に係る液晶表示装置の製造方法について説明する。
【００６４】
散点状の拡散反射部２の周囲に光透過窓３が形成されている領域においては、実施形態１と同様にして、拡散反射部２と光透過窓３とを形成する。まず、第１基板１の上に、散点状にパターン加工した第１反射下地層２１をフォトレジスト材料を用いて形成する。そして、第１反射下地層２１の上に、パターン加工、加熱処理などにより、凸形状であって曲面を有する第２反射下地層２２をフォトレジスト材料を用いて形成する。そして、第２反射膜下地層２２の上に、凸形状であって曲面を有する反射膜２３を、銀などを用いて形成し、散点状の拡散反射部２を形成する。さらに、この拡散反射部２の一部分であって、曲面を有する凸形状の拡散反射部２の頂点を含むようエッチングして、背面光を透過するように開口し、拡散反射部開口部２４を形成する。
【００６５】
散点状の拡散反射部２の周囲に光透過窓３が形成されていない領域においても、実施形態１と同様に、拡散反射部２を形成する。まず、第１基板１の上に、平面の第１反射下地層２１をフォトレジスト材料を用いて形成する。そして、第１反射下地層２１の上に、パターン加工、加熱処理などにより、凸形状であって曲面を有する第２反射下地層２２を、フォトレジスト材料を用いて散点状に形成する。そして、第１反射下地層２１と第２反射下地層２２とを覆うようにして、平面の反射膜２３ａと、曲面を有する凸形状の反射膜２３ｂとを有する反射膜２３を、銀などを用いて形成する。
【００６６】
そして、第２基板１１に、拡散反射部２と光透過窓３とが形成された領域と対応するように、カラーフィルタ４０を形成する。実施形態１と同様にして、第２基板１１に、顔料や染料が分散されたポリイミドなどの樹脂を塗布し、パターン加工することで、カラーフィルタ４０を形成する。そして、光透過窓３が形成されていない領域の拡散反射部２と対向する位置に、正面光が透過するように矩形形状でカラーフィルタ４０を開口して、カラーフィルタ開口部４３を形成する。
【００６７】
その後、実施形態１と同様にして、第１基板１と第２基板１１とを貼り合わせなどを行い、液晶表示装置を形成する。
【００６８】
上記の本実施形態の液晶表示装置は、実施形態１と同様に、第１基板１に散点状に形成された拡散反射部２によって、周囲からの正面光を拡散反射する。また、散点状の拡散反射部２の周囲の第１基板１に形成された光透過窓３により、バックライトからの背面光を透過する。バックライトからの背面光は、光透過窓３の他、拡散反射部２の一部分であって、曲面を有する凸形状の拡散反射部２の頂点を含むように開口された拡散反射部開口部２４から透過する。
【００６９】
本実施形態の液晶表示装置において、実施形態１と同様に、拡散反射部２を７０％、光透過窓３を３０％として形成した場合、本実施形態の液晶表示装置の反射率は約７％であった。実施形態１と同様に、本実施形態は、透過率を損なわずに、従来よりも約４０％の反射率の向上があった。
【００７０】
散点状の拡散反射部２の一部分は、たとえば、拡散反射部２の凸形状の曲面における頂点のように、第１基板１に垂直に入射する光に対して垂直となる面が多く、正反射しやすい部分を含む。本実施形態は、散点状の拡散反射部２の一部分と、拡散反射部２の周囲との両者の正反射しやすい領域に、背面光を透過するため、それぞれ、拡散反射部開口部２４と光透過窓３とが形成されている。このため、本実施形態は、上記の如く、拡散反射する正面光の反射率と、背面光を透過率とを共に向上することができる。
【００７１】
また、本実施形態の液晶表示装置において、周囲からの正面光は第２基板１１のカラーフィルタ４０を透過して、拡散反射部２によって拡散反射する。そして、拡散反射した正面光は、さらに、背面側から第２基板１１の第２カラーフィルタを透過する。しかし、本実施形態のカラーフィルタ４０には、拡散反射部と対向する位置に、カラーフィルタ開口部４３が形成されている。このため、反射した正面光の一部は、カラーフィルタ開口部４３を透過するため、カラーフィルタ４０により着色されない。よって、本実施形態の液晶表示装置は、反射した正面光の一部を着色しないで利用するため、周囲が暗い場合であっても、視認性を向上することができる。
【００７２】
したがって、本実施形態は、併用型液晶表示装置において、反射率および透過率の向上ができ、その結果、輝度、コントラストを向上し、カラー表示においても視認性を改善することができる。
【００７３】
なお、本発明の実施に際しては、上記した実施の形態に限定されるものではなく、種々の変形形態を採用することできる。
【００７４】
たとえば、カラーフィルタ開口部を、散点状に形成された光拡散領域のそれぞれと対応させて、散点状にカラーフィルタに形成してもよい。
【００７５】
【発明の効果】
本発明によれば、併用型液晶表示装置において、輝度、コントラストを向上して、カラー表示においても視認性、色再現性などを改善でき、また、製造効率などを向上可能な液晶表示装置を提供することができる。
【図面の簡単な説明】
【図１】図１は本発明の実施形態１における液晶表示装置を示す図である。
【図２】図２は本発明の実施形態２における液晶表示装置を示す図である。
【図３】図３は本発明の実施形態３における液晶表示装置を示す図である。
【図４】図４は本発明の実施形態３における液晶表示装置を示す図である。
【図５】図５は本発明の実施形態１における液晶表示装置の製造工程を示す断面図である。
【図６】図６は本発明の実施形態１の液晶表示装置において、光透過窓３において挟まれている液晶層の間隔Ｂ（μｍ）と、透過率Ｒｔ（％）との関係を示す図である。
【図７】図７は従来における液晶表示装置を示す図である。
【符号の説明】
１：第１基板、２：拡散反射部、３：光透過窓、１１：第２基板、２４：拡散反射部開口部、３１：液晶層、４０：カラーフィルタ，４１：第１カラーフィルタ，４２：第２カラーフィルタ、４３：カラーフィルタ開口部
【図１】
2004361633.tif 000003
【図２】
2004361633.tif 000004
【図３】
2004361633.tif 000005
【図４】
2004361633.tif 000006
【図５】
2004361633.tif 000007
【図６】
2004361633.tif 000008
【図７】
2004361633.tif 000009